(57)【特許請求の範囲】
【請求項１】
冷蔵庫本体（２１）内部上方側に冷凍室（２３）が形成され、該冷凍室（２３）内部後方側に冷却器室（２５）が形成され、該冷却器室（２５）内に送風ファン（２６）を有したファンモータ（２７）が装着され、該冷凍室（２３）下方側冷蔵庫本体（２１）内部側壁にバリヤー（３３）が横架され、該バリヤー（３３）の下方冷蔵庫本体（２１）内部に冷蔵室（２４）が形成された冷蔵庫において、
前記冷却器室（２５）の前方側冷凍室（２３）内部には断熱板のシュラウド（３１）が立設され、該シュラウド（３１）の前方側面にダクトの役割をする円板状の溝部（３１ｅ）が切刻形成され、該溝部（３１ｅ）上方側に前記冷却器室（２５）から発生した冷気を冷凍室（２３）に供給する冷凍室吐出ガイドダクト（３１ａ）が穿孔形成され、該溝部（３１ｅ）に連通して下方側の冷蔵室（２４）へ冷気を吐出する冷蔵室吐出孔（３１ｂ）が切刻形成され、該シュラウド（３１）の下部両方側に冷凍室冷却後の冷気を帰還させる冷凍室冷気吸入孔（３１ｃ）が穿孔形成され、それら冷凍室冷気吸入孔（３１ｃ）間前記冷蔵室吐出孔（３１ｂ）の両方側に冷蔵室（２４）から帰還する冷気を吸入する冷蔵室冷気吸入ガイドダクト（３１ｄ）が夫々穿孔形成され、
前記シュラウド（３１）前方側の冷凍室（２３）内部にはグリルファン（３２）が立設され、該グリルファン（３２）の上下両方側に前記シュラウド（３１）の冷凍室吐出ガイドダクト（３１ａ）及び冷凍室冷気吸入孔（３１ｃ）に夫々連通する冷凍室吐出孔（３２ａ）及び冷凍室冷気吸入孔（３２ｂ）が穿孔形成され、
前記バリヤー（３３）のほぼ中央には、前記シュラウド（３１）の冷蔵室吐出口（３１ｂ）に連通され下方向きに分岐された第１冷気吐出孔（３３ａ）及び第２冷気吐出孔（３３ｂ）が夫々下方向きに穿孔形成され、該バリヤーの正面両方側に前記シュラウド（３１）の冷蔵室冷気吸入ガイドダクト（３１ｄ）に連通する冷蔵室冷気吸入孔（３３ｃ）が夫々穿孔形成され、
前記冷蔵室（２４）の後方側には、冷蔵室（２４）前方側向き所定厚さを有する冷蔵室上部ダクト（３４′）が前記バリヤー（３３）の第２冷気吐出口（３３ｂ）及び冷蔵室冷気吸入孔（３３ｃ）に夫々連通して形成され、該冷蔵室上部ダクト（３４′）に連通して該冷蔵室上部ダクト（３４′）よりもやや薄い厚さを有し棚ダクト（３５）の挿合される冷蔵室ダクト（３４）が下方側向きに延長形成され、
上記の各ダクト及び各孔を介して冷気の供給及び循環を行い、冷気の流路に臭気を脱取する臭気脱取材を配設して臭気を脱取する冷蔵庫。
【請求項２】
前記冷蔵庫上部ダクト（３４′）には、該冷蔵庫上部ダクト（３４′）と前記バリヤー（３３）下面間に該バリヤー（３３）の第１冷気吐出孔（３３ａ）へ連通する天井ダクト（３７）が形成される請求項１記載の冷蔵庫。
【請求項３】
前記天井ダクト（３７）は、該天井ダクト（３７）の側面及び底面に複数の冷気吐出孔（３７ａ）が穿孔形成され、それら冷気吐出孔（３７ａ）から冷気が冷蔵庫内の下方及び側方向きに吐出される請求項２記載の冷蔵庫。
【請求項４】
前記冷蔵室上部ダクト（３４′）は、仕切り板（３８′）により仕切られて中央部が冷蔵室吐出ダクト（３９′）に形成され、該冷蔵室吐出ダクト（３９′）の両方側部が冷蔵室冷気吸入ダクト（４０′）に形成される請求項１記載の冷蔵庫。
【請求項５】
前記冷蔵室吐出ダクト（３９′）は、該冷蔵室吐出ダクト（３９′）の前方側壁面に冷気吐出用の冷気吐出孔（３４′ａ）及び補助冷気吐出孔（３４′ｃ）が夫々穿孔形成される請求項４記載の冷蔵庫。
【請求項６】
前記冷蔵室冷気吸入ダクト（４０′）は、該冷蔵室冷気吸入ダクト（４０′）の前方側壁面に冷却後の冷気が吸入される冷気吸入孔（３４ｂ）が穿孔形成される請求項４記載の冷蔵庫。
【請求項７】
前記冷蔵室ダクト（３４）は、仕切り板（３８）により仕切られて中央部が冷蔵室吐出ダクト（３９）に形成され、該冷蔵室吐出ダクト（３９）の両方側部が冷蔵室冷気吸入ダクト（４０）に形成される請求項１記載の冷蔵庫。
【請求項８】
前記冷蔵室吐出ダクト（３９）は、冷蔵室吐出ダクト（３９）の前方側壁面に所定間隔を有して複数の冷気吐出用冷気吐出孔（３４ａ）及び補助冷気吐出孔（３４ｃ）が夫々穿孔形成される請求項７記載の冷蔵庫。
【請求項９】
前記各冷気吐出孔（３４ａ）は、それら冷気吐出孔（３４ａ）内部に水平移動式開閉手段を押し前記棚ダクト（３５）が挿合装着される請求項１、及び８記載の冷蔵庫。
【請求項１０】
前記水平移動式開閉手段（３６）は、前記冷蔵室（２４）の後方側壁面に基端が掛止された弾性部材（４５）と、該弾性部材（４５）の先方側端に掛合された開閉具（４６）と、から構成された請求項９記載の冷蔵庫。
【請求項１１】
前記棚ダクト（３５）は、側方が開放された中空６面体状に形成され、該開放側面部位が前記冷気吐出孔（３４ａ）に挿合され、他方側面及び底面に複数の冷気吐出孔（３５ａ）が夫々穿孔形成された請求項１、及び９記載の冷蔵庫。
【請求項１２】
前記冷蔵室冷気吸入ダクト（４０）は、該冷蔵室冷気吸入ダクト（４０）の前方側壁面に冷却後の冷気が吸入される複数の冷気吸入孔（３４ｂ）と、着脱手段（４１）により臭気脱取材（４３）の挿合される収納孔（３４ｄ）とが、所定間隔を有して縦方向列状に夫々穿孔形成される請求項７記載の冷蔵庫。
【請求項１３】
前記着脱手段（４１）は、底面に掛止段（４２ｂ）を有して中央に孔部（４２ａ）の穿孔形成された長方形ボックス状の収納函（４２）にて形成され、該収納函（４２）の前面部（４２ｃ）が前記収納孔（３４ｄ）よりもやや大きく形成される請求項１２記載の冷蔵庫。
【発明の詳細な説明】
【０００１】
【発明の属する技術分野】
本発明は冷蔵庫に係るもので、詳しくは、冷却器室と冷蔵室間の冷気供給循環作用を理想的に行い、冷蔵飲食物の臭気を除去して冷蔵効率を向上し得る冷蔵庫に関するものである。
【０００２】
【従来の技術】
▲１▼従来の冷蔵庫の１例においては、図９及び図１０に示したように、冷蔵庫本体１の内部中間部位に断熱材のバリヤー（ｂａｒｒｉｅｒ）２が横架され、該バリヤー２の上下方に冷凍室３及び冷蔵室４が夫々形成され、該冷凍室３内部後方側にシュラウド（Ｓｈｒｏｕｄ）５及びグリルファン６が夫々立設され、該シュラウンド５と冷凍室３の後方側壁間に冷却器室７が形成され、該冷却器室７内に送風ファン８を有したファンモータ９と蒸発器１０とが夫々装着されていた。
【０００３】
且つ、それらシュラウド５及びグリルファン６には前記蒸発器１０から発生した冷気を冷凍室３内に供給する複数の冷気吐出孔５ａ，６ａが夫々穿孔形成され、前記バリヤー２の内部には前記冷凍室３を循環した冷気が冷却器室７に帰還される冷気帰還路２ａと、冷蔵室４を循環した冷気が帰還される帰還路２ｂと、蒸発器１０から発生した冷気を冷蔵室４内に供給する冷気吐出孔２ｃとが夫々穿孔形成されていた。
【０００４】
又、前記冷蔵室４の内部後方側壁面には前記冷気吐出孔２ｃに連通する冷蔵室ダンパー１１が形成され、該冷蔵室ダンパー１１に連通して冷蔵室ダクト１２が下方向きに長く延長形成され、それら冷蔵室ダンパー１１及び冷蔵室ダクト１２には夫々複数の冷気吐出孔１１ａ，１２ａが夫々穿孔形成され、それら冷蔵室ダンパー１１及び冷蔵室ダクト１２の前方側冷蔵室４内部には複数の棚１３が着脱自在に装着され、該棚１３の下方には野菜ボックス１４が収納されていた。
【０００５】
更に、図示されていないが、前記バリヤー２の冷気帰還路２ａの入口側には飲食物の臭気を脱取する脱取剤が装着されていた。
図中、未説明符合１６，１７は夫々冷凍室及び冷蔵室のドアーを示したものである。
【０００６】
そして、このように構成された従来の冷蔵庫の作用においては、先ず、蒸発器１０から発生した冷気の一部がファンモーター９の送風ファン８によりシュラウド５の吐出孔５ａ及びグリルファン６の吐出孔６ａを夫々通って冷凍室に流入され、循環した後、冷気帰還路２ａを通って前記蒸発器１０に帰還される。
【０００７】
且つ、前記蒸発器１０から発生した残りの冷気はバリヤー２の冷気吐出孔２ｃを通って冷蔵室ダンパー１１及び冷蔵室ダクト１２に夫々流入され、冷蔵室ダンパー１１の冷気吐出孔１１ａ及び冷蔵室ダクト１２の冷気吐出孔１２ａから冷蔵室内に吐出され、該冷蔵室内の棚１３上の飲食物を冷却させた後、バリヤー２の冷気帰還路２ｂ入口側の臭気脱取剤を通過しながら臭気の一部が脱取され、冷気帰還路２ｂを通って前記蒸発器１０に帰還される。
【０００８】
又、▲２▼従来の冷蔵庫の他の例（日本国、実用新案出願公告昭４７−２８９３６、参照）においては、図１１及び図１２に示したように、冷蔵庫本体５１内部後方側上部に冷却器室５７が形成され、該冷却器室５７内にファン６２を有したファンモータ６１が装着され、該ファンモータ６１下方に冷却器５９が装着され、前記冷却器室５７前方冷蔵庫本体５１内部後方側上部に案内ダクト６４が下方向きに長く形成され、該案内ダクト６４上部が冷蔵庫本体５１内部前方向きに解放されて冷気吐出口６５が形成されていた。
【０００９】
更に、前記案内ダクト６４下部に連通して吸気ダクト６８が下方向きに延長形成され、該吸気ダクト６８下部に複数の吸気口７０が夫々形成されていた。
【００１０】
そして、前記案内ダクト６４の側壁には所定間隔を有して複数の分気口６６が夫々形成され、それら分気口６６にはヒンジにより開閉する挿入扉６７が夫々掛合され、それら分気口６６に中空の吸出しダクト７１が挿入扉６７を押して掛合され、それら吸出しダクト７１の表面には複数の送気口７２が夫々穿孔形成され、それら吸出しダクト７１の上部には飲食物の載置される棚７３が夫々横架され、前記冷却器５９から発生した冷気が、冷気吐出口６５、案内ダクト６４、吸出しダクト７１及び送気口７２を夫々通って冷蔵室内に送気されるように構成されていた。
【００１１】
このように構成された従来の他の例の冷蔵庫の作用においては、冷却器室５７内の冷却器５９から発生した冷気の一部が冷気吐出口６５を通って冷蔵室５５内の上方側に放出され、冷気の残部は案内ダクト６４を通って各吸出しダクト７１に流入され、それら吸出しダクト７１の送気口７２を夫々通って冷蔵室５５内の棚７３上の飲食物上に放出された後、吸気孔７０に吸入され、吸気ダクト６８を通って冷却器室５７内に帰還されるようになっていた。
【００１２】
【発明が解決しようとする課題】
然るに、このように構成された従来の冷蔵庫においては、▲１▼項記載の１例の場合、冷蔵室ダンパー１１及び冷蔵室ダクト１２に流入された冷気がそれら冷蔵室ダンパー１１及び冷蔵室ダクト１２側壁に穿孔形成された各冷気吐出孔１１ａ，１２ａを通って冷蔵室４内に吐出されるが、それら冷気吐出孔１１ａ，１２ａが冷蔵室４内の後方側壁面にのみ形成されているため、冷蔵室４内の棚１３上の飲食物を全て均一に冷却することができないという不都合な点があった。
【００１３】
又、▲２▼項記載の他の例においては、各吹出しダクト７１を用いて冷気を冷蔵室４の各棚７３上の飲食物に比較的均一に吐出しているが、冷却の冷気が冷蔵室４下方側の吸気孔７０のみを通って吸気ダクト６８を経た後、冷却器室５７内に帰還されるようになっているため、冷気循環が円滑に行われず、よって冷蔵効率が向上されないという不都合な点がった。更に、臭気を除去するための臭気脱取剤が具備されておらず、冷蔵庫内の飲食物保管状態を良好に維持することができないという不都合な点があった。
【００１４】
【課題を解決するための手段】
本発明の目的は、冷蔵室内の冷気の循環を理想的に行い、棚上飲食物の過冷及び未冷現象を防止して、冷蔵効率を向上し得る冷蔵庫を提供しようとするものである。
且つ、本発明の他の目的は、冷蔵室内の飲食物の変質現象を防止し、臭気を完全に除去して、飲食物の冷蔵及び保管効率を向上し得る冷蔵庫を提供しようとするものである。
【００１５】
そして、このような目的を達成するための本発明に係る冷蔵庫においては、冷蔵庫上方側に形成された冷凍室（２３）に送風ファン（２６）及びファンモータ（２７）の装着される冷却器室（２５）が形成され、該冷却器室（２５）の前方側には板状のシュラウド（３１）が立設され、該シュラウド（３１）の前方側面にダクトの役割を行う円板状の溝部（３１ｅ）が切刻形成され、該溝部（３１ｅ）上方側に前記冷却器室（２５）から発生した冷気を冷凍室（２３）に供給する冷凍室吐出ガイドダクト（３１ａ）が穿孔形成され、該溝部（３１ｅ）に連通して下方側の冷蔵室（２４）へ冷気を吐出する冷蔵室吐出孔（３１ｂ）が切刻形成され、該シュラウンド（３１）の下部両方側に冷凍室冷却後の冷気を帰還させる冷凍室冷気吸入孔（３１ｃ）が穿孔形成され、それら冷凍室冷気吸入孔（３１ｃ）間前記冷蔵室吐出孔（３１ｂ）の両方側に冷蔵室（２４）から帰還する冷気を吸入する冷蔵室冷気吸入ガイドダクト（３１ｄ）が夫々穿孔形成され、
【００１６】
前記シュラウド（３１）の前方側の冷凍室（２３）内部にはグリルファン（３２）が立設され、該グリルファン（３２）の上下両方側に前記シュラウド（３１）の冷凍室吐出ガイドダクト（３１ａ）及び冷凍室冷気吸入孔（３１ｃ）に夫々連通する冷凍室吐出孔（３２ａ）及び冷凍室冷気吸入孔（３２ｂ）が穿孔形成され、
【００１７】
前記冷凍室（２３）と該冷凍室（２３）の下方側に形成される冷蔵室（２４）との間に断熱板状のバリヤー（３３）が形成され、該バリヤー（３３）のほぼ中央には前記シュラウド（３１）の冷蔵室吐出口（３１ｂ）に連通され下方向きに分岐された第１冷気吐出孔（３３ａ）及び第２冷気吐出孔（３３ｂ）が夫々下方向きに穿孔形成され、該バリヤー（３３）の正面両方側に前記シュラウド（３１）の冷蔵室冷気吸入がガイドダクト（３１ｄ）に連通する冷蔵室冷気吸入孔（３３ｃ）が夫々穿孔形成され、
【００１８】
前記冷蔵室（２４）の後方側には、冷蔵室（２４）前方側向き所定厚さを有する冷蔵室上部ダクト（３４′）が前記バリヤー（３３）の第２冷気吐出孔（３３ｂ）及び冷蔵室冷気吸入孔（３３ｃ）に夫々連通して形成され、該冷蔵室上部ダクト（３４′）に連通して該冷蔵室上部ダクト（３４′）よりもやや薄い厚さを有し棚ダクト（３５）の挿合される冷蔵室ダクト（３４）が下方向きに延長形成され、
冷気の供給循環を理想的に行い、臭気を完全に脱取するように構成されている。
【００１９】
【発明の実施の形態】
以下、本発明の実施の形態に対し、図面を用いて詳細に説明する。
図１〜図３に示したように本発明に係る冷蔵庫においては、冷蔵庫本体２１内部上方側にドアー２２の掛合された冷凍室２３が形成され、該冷凍室２３下面に断熱板状のバリヤー３３が水平に横架され、該バリヤー３３下方側冷蔵庫本体２１内部に冷蔵室２４が形成され、該冷蔵室２４下方側に野菜ボックスカバー３０を有した野菜ボックス２９が着脱自在に収納されている。
【００２０】
且つ、前記冷凍室２３内部後方側には冷却器室２５が形成されて該冷却器室２５内に送風ファン２６を有したファンモータ２７と蒸発器２８とが夫々装着され、該冷却器室２５前方側冷凍室２３内部にシュラウド３１が立設され、該シュラウド３１の上部に冷凍室吐出ガイドダクト３１ａが穿孔形成され、該シュラウド３１の下部に複数の冷凍室冷気吸入孔３１ｃが穿孔形成され、それら冷凍室吐出ガイドダクト３１ａ及び冷凍室冷気吸入孔３１ｃに夫々連通する冷凍室吐出孔３２ａ及び冷凍室冷気吸入孔３２ｂの穿孔形成されたグリルファン３２が前記シュラウド３１前方側冷凍室２３内部に立設され、前記蒸発器２８から発生した冷気が前記冷凍室吐出ガイドダクト３１ａ及び冷凍室吐出孔３２ａを通って冷凍室２３内に供給された後、冷却後の冷気が前記冷凍室冷気吸入孔３２ｂ及び冷凍室冷気吸入孔３１ｃを夫々通って冷却器室２５内に帰還されるようになっている。
【００２１】
又、前記シュラウド３１においては、図４に示したように、該シュラウド３１の前方側面前記冷凍室吐出ガイドダクト３１ａ外郭にダクトの役割をする円板状の溝部３１ｅが切刻形成され、該溝部３１ｅに連通して下方側の冷蔵室２４へ冷気を吐出する冷蔵室吐出口３１ｂが切刻形成され、該シュラウド３１の下部両方側に前記冷凍室冷気吸入孔３１ｃが夫々穿孔形成され、それら冷凍室冷気吸入孔３１ｃ間前記冷蔵室吐出口３１ｂの両方側に冷蔵室２４から帰還する冷気の吸入される冷蔵室冷気吸入ガイドダクト３１ｄが夫々穿孔形成されている。
【００２２】
更に、前記バリヤー３３においては、図３に示したように、所定厚さを有する断熱板状に形成され、該バリヤー３３のほぼ中央部位に前記シュラウド３１の冷蔵室吐出口３１ｂに連通され下方向きに分岐された第１冷気吐出孔３３ａ及び第２冷気吐出孔３３ｂが夫々下方向きに穿孔形成され、該バリヤー３３の正面両方側に前記シュラウド３１の冷蔵室冷気吸入ガイドダクト３１ｄに連通する冷蔵室冷気吸入孔３３ｃが夫々穿孔形成されている。
【００２３】
そして、前記冷蔵室２４後方側には冷蔵室２４前方側向きに所定厚さを有する冷蔵室上部ダクト３４′が下方向に形成され、該冷蔵室上部ダクト３４′に連通して該冷蔵室上部ダクト３４′よりもやや薄い厚さを有する冷蔵室ダクト３４が下方向に延長形成され、前記冷蔵室上部ダクト３４′の前方側壁面と前記バリヤー３３の下面間には所定高さ及び幅を有する天井ダクト３７が形成されている。
【００２４】
且つ、図５及び図６に示したように、前記冷蔵室上部ダクト３４′及び冷蔵室ダクト３４は夫々仕切り板３８′，３８により仕切られて中央に冷蔵室吐出ダクト３９′，３９が夫々形成され、それら冷蔵室吐出ダクト３９′，３９前方側側面には所定間隔を有して複数個の冷気吐出孔３４ａ及び補助冷気吐出孔３４ｃが夫々穿孔形成され、それら冷気吐出孔３４ａ内部にはそれら冷気吐出孔３４ａを開閉する水平移動式開閉手段３６が夫々掛合それ、それら冷気吐出孔３４ａ中任意の冷気吐出孔３４ａに飲食物が載置され冷気の吐出される棚ダクト３５を水平移動式開閉手段３６により押して挿合させるようになっている。
【００２５】
又、該棚ダクト３５は側方が開放された中空６面体状に形成され、該開放側面部位が前記冷気吐出孔３４ａに挿合され、他方側面及び底面に冷気の吐出される複数の冷気吐出孔３５ａが夫々穿孔形成されている。
【００２６】
更に、前記冷蔵室上部ダクト３４′及び冷蔵室ダクト３４の両方側には前記仕切り板冷気吸入ダクト３８′，３８の仕切りにより夫々冷蔵室冷気吸入ダクト４０′，４０が形成され、それら冷蔵室冷気吸入ダクト４０′，４０の前方側側面には縦方向に所定間隔を有して複数の収納孔３４ｄ及び冷気吸入孔３４ｂが夫々穿孔形成され、それら収納孔３４ｄには臭気脱取材４３が着脱手段４１により着脱自在に装着されるようになっている。
【００２７】
そして、前記水平移動式開閉手段３６においては、図８（Ａ）に示したように冷蔵室２４後方側壁面に基端が掛止された弾性部材４５と、該弾性部材４５の先方側端に掛止された開閉具４６と、から構成され、平常時は弾性部材４５の弾性力により開閉具４６が冷気吐出孔３４ａを閉鎖しているが、使用者が棚ダクト３５を装着するときは該開閉具４６を押して弾性力を克服して棚ダクト３５を挿合するようになっている。
【００２８】
且つ、前記着脱手段４１においては、図７に示したように、底面に掛止段４２ｂを有して中央に孔部４２ａの穿孔された長方形ボックス状の収納函４２に形成されるが、該収納函４２の前面部４２ｃが前記収納孔３４ｄよりもやや大きく形成され、該収納函４２が収納孔３４ｄ外部面に掛合されるようになっている。
【００２９】
又、前記天井ダクト３７の側面及び下面には複数の冷気吐出孔３７ａが夫々穿孔形成され、該天井ダクト３７の上面が前記バリヤー３３の第１冷気吐出孔３３ａに連通され、該バリヤー３３の第２冷気吐出孔３３ｂは前記冷蔵室吐出ダクト３９′に連通されている。
【００３０】
以下、このように構成された本発明に係る冷蔵庫の作用を説明する。
先ず、冷却器室２５内の蒸発器２８から発生した冷気の一部はファンモータ２７の駆動によりシュラウンド３１の冷凍室吐出ガイドダクト３１ａ及びグリルファン３２の冷凍室吐出孔３２ａを夫々通って冷凍室２３内に吐出され、冷却後の冷気はグリルファン３２の冷凍室冷気吸入孔３２ｂ及びシュラウンド３１の冷凍室冷気吸入孔３１ｃを夫々通って前記冷却器室２５内に帰還される。
【００３１】
一方、蒸発器２８から発生した冷気の残部はシュラウンド３１の冷蔵室吐出口３１ｂを通ってバリヤー３３の第１及び第２冷気吐出孔３３ａ，３３ｂに夫々流入され、該第１冷気吐出孔３３ａの冷気は天井ダクト３７に流入された後、該天井ダクト３７の各冷気吐出孔３７ａから冷蔵室２４内上部に吐出され、前記第２冷気吐出孔３３ｂ内の冷気は冷蔵室上部ダクト３４′の冷蔵室吐出ダクト３９′に流入された後、冷蔵室ダクト３４の冷蔵室吐出ダクト３９を通って冷蔵室下方側に下降される。
【００３２】
次いで、冷蔵室吐出ダクト３９の各冷気吐出孔３４ａに挿合された棚ダクト３５内に冷気が流入された後該棚ダクト３５の冷気吐出孔３５ａから吐出されて棚ダクト３５の飲食物を冷却し、各補助冷気吐出孔３４ｃ，３４′ｃを通って冷蔵室２４内の棚ダクト３５間に冷気が吐出され、冷蔵室２４内の各棚ダクト３５間が全て均一に冷却される。
【００３３】
即ち、この場合、天井ダクト３７に流入した冷気は該天井ダクト３７の各冷気吐出孔３７ａを通って冷蔵室２４上部の側方及び下方向に吐出され、各冷気吐出孔３４ａを通って棚ダクト３５に流入した冷気はそれら棚ダクト３５の各冷気吐出孔３５ａを通って冷蔵室２４内の左右方向及び下方向きに夫々吐出され、各棚ダクト３５間の冷蔵室ダクト３４に流入した冷気は補助冷気吐出孔３４ｃから冷蔵室２４前方側に吐出され、冷蔵室上部ダクト３４′に流入した冷気は冷気吐出孔３４′ａ及び補助冷気吐出孔３４′ｃから夫々冷蔵室２４の前方側に吐出されるため、冷蔵室２４内の全ての部位が一様に冷却される。
【００３４】
その後、冷却後の冷気は、前記各冷蔵室吐出ダクト３９，３９′側方の各冷蔵室冷気吸入ダクト４０，４０′の冷気吸入孔３４ｂに夫々吸入され、それら冷気吸入孔３４ｂ上の各臭気脱取材４３を通過しながら臭気が完全に脱取され、前記冷蔵室冷気吸入ダクト４０′に連通された冷蔵室冷気吸入孔３３ｃを通って冷却器室２５内に帰還される。
【００３５】
【発明の効果】
以上説明したように、本発明に係る冷蔵庫においては、冷却器室から発生した冷気を、シュラウド、グリルファン及びバリヤーを通して、冷凍室及び冷蔵室に夫々適合な条件下で均一に吐出させ、冷却後の冷気を吐出冷気の供給ダクトとは別途の冷気吸入ダクトを通して帰還させ、理想的な冷気循環システムを具現するように構成されているため、冷蔵庫の冷蔵効率を向上し得るという効果がある。
【００３６】
又、複数の棚ダクト及び臭気脱取材を冷蔵室内各位置に自在に着脱するように構成されているため、冷蔵室内の各棚上の飲食物を均一に冷却し、臭気を完全に脱取して使用者に快適感及び便宜感を与え得るという効果がある。
【図面の簡単な説明】
【図１】本発明に係る冷蔵庫の内部構造を示した正面図である。
【図２】本発明に係る冷蔵庫の内部構造を示した側断面図である。
【図３】本発明に係る冷凍室及びバリヤーを示した一部側断面図である。
【図４】本発明に係るシュラウドを示した斜視図である。
【図５】本発明に係る冷蔵室ダクトを示した一部斜視図である。
【図６】本発明に係る冷蔵室上部ダクトを示した一部斜視図である。
【図７】本発明に係る臭気脱取材及び着脱手段を示した斜視図である。
【図８】本発明に係る水平移動式開閉手段及び棚ダクトを示した側断面図で、（Ａ）は水平移動式開閉手段表示図、（Ｂ）は棚ダクト表示図である。
【図９】従来の冷蔵庫の１例の内部構造を示した正面図である。
【図１０】従来の冷蔵庫の１例の内部構造を示した側断面図である。
【図１１】従来の冷蔵庫の他の例の内部構造を示した概略縦断面図である。
【図１２】従来の冷蔵庫の他の例の内部構造を示した概略側断面図である。
【符号の説明】
２１…冷蔵庫本体
２２…冷凍室ドアー
２３…冷凍室
２４…冷蔵室
２５…冷却器室
２６…送風ファン
２７…ファンモータ
２８…蒸発器
２９…野菜ボックス
３０…野菜ボックスカバー
３１…シュラウド
３１ａ…冷凍室吐出ガイドダクト
３１ｂ…冷蔵室吐出口
３１ｃ…冷凍室冷気吸入孔
３１ｄ…冷蔵室冷気吸入ガイドダクト
３１ｅ…溝部
３２…グリルファン
３２ａ…冷凍室吐出孔
３２ｂ…冷凍室冷気吸入孔
３３…バリヤー
３３ａ…第１冷気吐出孔
３３ｂ…第２冷気吐出孔
３３ｃ…冷蔵室冷気吸入孔
３４…冷蔵室ダクト
３４′…冷蔵室上部ダクト
３４ａ，３４′ａ…冷気吐出孔
３４ｂ…冷気吸入孔
３４ｃ，３４′ｃ…補助冷気吐出孔
３４ｄ…収納孔
３５…棚ダクト
３５ａ…冷気吐出孔
３６…水平移動式開閉手段
３７…天井ダクト
３７ａ…冷気吐出孔
３８，３８′…仕切り板
３９，３９′…冷蔵室吐出ダクト
４０，４０′…冷蔵室冷気吸入ダクト
４１…着脱手段
４２…収納函
４２ａ…孔部
４２ｂ…掛止段
４３…臭気脱取材
４５…弾性部材
４６…開閉具
【図１】
0003887045.tif 000002
【図２】
0003887045.tif 000003
【図３】
0003887045.tif 000004
【図４】
0003887045.tif 000005
【図５】
0003887045.tif 000006
【図６】
0003887045.tif 000007
【図７】
0003887045.tif 000008
【図８】
0003887045.tif 000009
【図９】
0003887045.tif 000010
【図１０】
0003887045.tif 000011
【図１１】
0003887045.tif 000012
【図１２】
0003887045.tif 000013